(57)【要約】  本発明は、前記少なくとも１つのエフェクト装置１，２，３，４，５，６，７を用いてオーディオ信号を変化させることによってオーディオ装置内の前記オーディオデータファイルの音質を改善するための方法に関する。このため、本発明は、以下の、ａ）１つのオーディオデータファイルを、複数のメタデータに割り当てるステップと、ｂ）前記複数のメタデータを、少なくとも１つのエフェクト装置１〜７の複数の設定値が格納される複数のデータファイルと比較するステップと、ｃ）前記複数のメタデータを、方法ステップｂ）からの１つのデータファイル２１に割り当てるステップと、ｄ）方法ステップｃ）からの前記データファイル２１をロードし、そのエフェクト装置１〜７を起動するステップと、を提唱する。  この場合、そのエフェクト装置１〜７が、方法ステップｃ）での前記データファイル２１からの値によって設定される。
2018518097.tif 000002
【特許請求の範囲】
【請求項１】
少なくとも１つのエフェクト装置（１，２，３，４，５，６，７）を用いてオーディオ信号を変化させることによってオーディオ装置内の１つのオーディオデータファイルの音質を改善するための方法において、以下の、
ａ）前記オーディオデータファイルを、複数のメタデータに割り当てるステップと、
ｂ）前記複数のメタデータを、前記エフェクト装置（１〜７）の複数の設定値が格納される複数のデータファイルと比較するステップと、
ｃ）前記複数のメタデータを、方法ステップｂ）からの１つのデータファイル（２１）に割り当てるステップと、
ｄ）方法ステップｃ）からの前記データファイル（２１）をロードし、そのエフェクト装置（１〜７）を起動するステップと、を有し、
そのエフェクト装置（１〜７）が、方法ステップｃ）での前記データファイル（２１）からの値によって設定されることを特徴とする方法。
【請求項２】
前記複数のメタデータは、前記オーディオデータファイル内に格納されることを特徴とする請求項１に記載の方法。
【請求項３】
前記複数のメタデータは、外部のデータベース（２４ａ，３０）内に格納されることを特徴とする請求項１又は２に記載の方法。
【請求項４】
設備の制御モジュール（１０）が、前記方法ステップｂ）〜ｄ）を制御することを特徴とする請求項１〜３のいずれか１項に記載の方法。
【請求項５】
方法ステップｂ）からの前記複数のデータファイルは、設備のデータベース又はクラウド内に格納されることを特徴とする請求項１〜４のいずれか１項に記載の方法。
【請求項６】
前記エフェクト装置（１〜７）によって変更された前記オーディオ信号は、設備のオーディオ出力部（９）に送信されることを特徴とする請求項１〜５のいずれか１項に記載の方法。
【請求項７】
請求項１〜６のいずれか１項に記載の方法を実行するための設備において、当該設備は、
−複数のオーディオデータファイルが格納されていて、複数のメタデータファイルがこれらのオーディオデータファイルに割り当てられている及び／又は割り当て可能である１つのメモリ媒体と、
−少なくとも１つのエフェクト装置（１〜７）と、
−前記エフェクト装置（１〜７）の複数の設定値を有する複数のデータファイル（２１）が格納されている１つの別のメモリ媒体と、
−前記メモリ媒体と前記エフェクト装置（１〜７）と前記別のメモリ媒体とに割り当てられている１つの制御モジュール（１０）とを有する当該設備。
【請求項８】
前記設備は、複数のオーディオ出力部を有することを特徴とする請求項７に記載の設備。
【請求項９】
前記設備は、複数のオーディオ入力部を有することを特徴とする請求項７又は８に記載の設備。
【請求項１０】
前記設備は、複数のビデオ入力部及び／又は複数のビデオ出力部を有することを特徴とする請求項７〜９のいずれか１項に記載の設備。
【請求項１１】
前記複数のメタデータは、前記複数のオーディオデータファイル内に格納されていることを特徴とする請求項７〜１０のいずれか１項に記載の設備。
【請求項１２】
前記複数のメタデータは、外部のデータベース（２４ａ，３０）内に格納されていることを特徴とする請求項７〜１１のいずれか１項に記載の設備。
【請求項１３】
請求項７〜１２のいずれか１項に記載の設備内に実装されているコンピュータプログラム（２７）において、
前記コンピュータプログラムが、前記設備のプロセッサによって処理されるアルゴリズムを有し、このアルゴリズムは、請求項１〜６のいずれか１項に記載の方法を実行することを特徴とするコンピュータプログラム（２７）。
【請求項１４】
コンピュータプログラムが、メディアプレイヤーとして存在することを特徴とする請求項１３に記載のコンピュータプログラム。
【発明の詳細な説明】
【技術分野】
【０００１】
本発明は、少なくとも１つのエフェクト装置を用いてオーディオ信号を変更することによってオーディオ装置内のオーディオデータファイルの音質を改善するための方法に関する。さらに、本発明は、当該方法を実行するための設備に関する。
【背景技術】
【０００２】
冒頭で述べた種類の方法は、従来の技術から周知であり、音の音響を再生する装置を改善するために使用される。このため、一般に、イコライザ、コンプレッサ及びリミッタのようなエフェクト装置、並びにホール音響装置及び残響装置が、別々に又はユニットとして使用される。
【０００３】
コンプレッサ／リミッタは、例えば、オーバードライブを防止するためにピークレベルの上回りを回避する制限器である。さらに、当該制限器は、楽器類／歌唱又は音声の音量調整器／音圧調整器として重要である。このため、パラメータであるフェーダレベル、閾値、（存在する場合は）アタック、リリース及び出力レベルの値が補正される。
【０００４】
イコライザは、例えば、音響パターンの修正、歪み補正又はその他の制御のために使用され、オーディオ信号のオーディオ周波数帯域の全体を処理し得る複数のフィルタから構成される。このことは、周波数及びフィルタ特性を個別に補正することによって実現される。
【０００５】
したがって、オーディオ信号やオーディオデータファイルの音質を制御又は改善するため、エフェクト装置は、特別な補正装置に常に接続されている。
【０００６】
従来の方法の場合、音を再生する装置の音響の全体が適合される。すなわち、エフェクト装置の選択された設定値（Ｅｉｎｓｔｅｌｌｕｎｇｅｎ）が、オーディオ装置によって再生される全ての音に対して有効になる。このため、需要者又はユーザによって調整可能であるそれぞれの宅内装置が、当該オーディオ装置のメーカーによって当該該当する装置の主オーディオチャンネル経路内に位置決めされている。この場合、音を再生する装置が、１チャンネルを有するか又は２チャンネルを有するか又はマルチチャンネルを有するかは重要でない。より多様な音響補正をオーディオ装置の需要者又はユーザに提供できるようにするため、従来のエフェクト装置は、多くの場合に複数の前設定値（Ｖｏｒｅｉｎｓｔｅｌｌｕｎｇｅｎ）、すなわち複数のプリセット値（Ｐｒｅｓｅｔｓ）を有する。すなわち、例えばコンプレッサ／リミッタの場合、フェーダレベル、閾値、アタック、リリース及び出力レベルのようなパラメータの値が既に設定されている。例えば「楽曲」のタイトル、「映画」のタイトル又は「ゲーム」のタイトル付きの設定値のような、これらの前設定値（プリセット値）のうちの幾つかの前設定値（プリセット値）が、既に予めプログラミングされている。その他の前設定値（プリセット値）は、自由に作成可能で且つ格納可能ないわゆるユーザ前設定値（ユーザプリセット値）である。需要者又はユーザが、異なる設定値間で入れ替えをしたいと思う場合、当該需要者又はユーザは、エフェクト装置を選択し、その設定値を手動で変更する必要がある。このことは、格納された１つの前設置値を有効にすることによって、又は新しい１つの設定値を手動で作成することによって実行される。
【０００７】
しかしながら、最近の従来の技術によれば、個別に且つオーディオイベントに応じて、全自動式の音響の適合を実現し且つ利用することは、需要者又はユーザにとって不可能である。このため、再生すべき全てのオーディオイベントに対してオーディオ再生装置内で見つけ出された設定値が、幾つかのオーディオイベントに対しては適切な音響を生成するものの、別のオーディオイベントに対しては適切な音響をほとんど生成しないか又は全く生成しないという欠点が生じる。例えば、強調された低い周波数は、幾つかのオーディオイベントには最適に合致するものの、当初から非常に低い周波数によって作成された別のオーディオイベントにはそもそも合致しない。また、所定の映画の予告編におけるナレーションの強調は、最適に合致するものの、これとは異質のヴォーカルによる楽曲演奏における音声の強調は、全く合致しない。何故なら、楽曲が既に高音域で作曲されてあるので、当該歌い手は、この場合には歪ませて且つ高音で発声するからである。したがって、需要者又はユーザは、可能な限り最適な聴取体験を取得するためにエフェクト装置の設定値又は前設定値をより頻繁に手動で変更しようとする。当該手動の変更の結果として、その需要者又はユーザにとっては、特定のオーディオイベントは、より心地よく聞こえ、その他のオーディオイベントは、より不快に聞こえる。また、それ故に、当該従来の技術は、当該需要者又はユーザがオーディオ装置内に設けられているエフェクト装置を当初から設定しない場合よりも不利に働く。
【発明の概要】
【発明が解決しようとする課題】
【０００８】
それ故に、本発明の課題は、これらの欠点を排除することにある。
【課題を解決するための手段】
【０００９】
この課題は、請求項１に記載の特徴によって解決される。本発明の好適な構成は、従属請求項に記載されている。
【００１０】
本発明の方法は、以下の：
ａ）当該オーディオデータファイルを、複数のメタデータに割り当てるステップと、
ｂ）当該複数のメタデータを、当該エフェクト装置の複数の設定値が格納される複数のデータファイルと比較するステップと、
ｃ）当該複数のメタデータを、方法ステップｂ）からの１つのデータファイルに割り当てるステップと、
ｄ）方法ステップｃ）からの当該データファイルをロードし、そのエフェクト装置を起動するステップと、を特徴とする。
【００１１】
この場合、そのエフェクト装置が、方法ステップｃ）での当該データファイルからの値によって設定される。
【００１２】
本発明の本質的な思想は、最初に、１つのオーディオデータファイルが、メタデータを用いて取得され見つけ出されることによって、可能限りあらゆるオーディオデータファイルごとに音響を個別に適合させ、次いで、このオーディオデータファイルのオーディオ信号を、適切に設定されたエフェクト装置によって提供することである。メタデータは、オーディオデータファイル及びビデオデータファイルのようなメディアデータファイルに対してコンテンツが記述されているデータである。当該メタデータは、コンテンツ（例えば、作曲家、再生時間、ジャンル）を当該データファイルに記述するために、又は様々なデータファイルフォーマットをいわゆるコンテナフォーマットに統合するために使用される。メタデータは、メディアデータファイルの変更可能な構成要素及び変更不可能な構成要素であるか、又は、メディアデータファイルから独立した、例えばメタデータベース内で管理される記述である。このとき、当該メタデータは、特定のメタデータファイルにもリンクされているものの、外部に存在し、当該メディアデータファイル自体の内部に存在しない。本発明の方法の範囲内では、メディアデータファイルの内部の（例えば、ＩＤ３タグ）と、メディアデータファイルの外部の（自由に選択可能なメディアデータカタログ）との双方が使用され得る。さらに、当該エフェクト装置の複数の設定値を有する複数のデータファイルが、メモリ媒体内に格納され得る。複数のオーディオデータファイルが、このメモリ媒体内に格納されている。複数のメタデータファイルが、これらのオーディオデータファイルに割り当てられている及び／又は割り当て可能である。
【００１３】
本発明の方法は、依然として未解決の個別の音響の適合の問題を解決する。本発明の利点は、実際に個別再生されるオーディオイベントをそれぞれ、これらのオーディオイベントに対して最適に設定されたエフェクト装置によって提供することである。したがって、需要者又はユーザ自身が、当該オーディオイベントを取得する必要はもはやなくて、当該需要者又はユーザは、オーディオを再生する装置にとって最適化されたオーディオイベントを自動的に取得する。自動的に設定可能なエフェクト装置と手動で設定可能なエフェクト装置とを配分することによって、当該需要者又はユーザが、音響を必要に応じてさらに個人の好みに合わせ得るように、当該音響の取得可能性を当該需要者又はユーザに許容することがさらに可能である。同様なことが、本発明の方法を、オーディオを再生する装置又は環境に適切に適合させたいと思う、例えば音響エンジニアのような当業者に対しても成立する。この場合、再生すべきオーディオデータファイルに関するより多くの情報、すなわちより多くのメタデータが存在し、評価され得るほど、本発明の方法は、常により正確である。好ましくは、全ての時期、ジャンル及びスタイルの音響イベントが、本発明の方法によって個別に最適化され得る。本発明で初めて、前後して混ざって再生される様々な時期の複数のオーディオイベントも、均質に再生される。何故なら、例えば、より過去の収録物の低い音質が、本発明の方法によって現代に合った音響に個別に適合され得るからである。
【００１４】
本発明の好適なその他の構成では、メタデータが、オーディオデータファイル内に格納されることが提唱される。本発明の実用的なバリエーションでは、メタデータが、外部のデータベース内に格納されることが提唱される。本発明の後述のバリエーションには、多数のプロバイダーのメタデータと、当該プロバイダーの楽曲のレパートリーとをダウンロードできるという利点がある。
【００１５】
好ましくは、方法ステップｂ）からのデータファイルが、オーディオ装置の１つのデータベース又は１つのクラウド内に格納される。これにより、配置された複数のエフェクト装置が有する大量のデータファイルが、集約して有益に格納され得る。当該データベースは、外部のデータベースでもよい。すなわち、当該データベースは、当該オーディオ装置の外部に存在してもよい。また、大量のデータファイルには、配置された複数のエフェクト装置、すなわちオーディオデータファイルがさらに分割されるという利点がある。
【００１６】
本発明のさらに好適な構成では、エフェクト装置によって変更されたオーディオ信号が、設備のオーディオ出力部に送信されることが提唱される。これにより、オーディオ装置が、ラウドスピーカーにさらに接続され得ることが保証される。これにより、音響体験（Ｋｌａｎｇｅｒｌｅｂｎｉｓ）が、さらに向上され得る。
【００１７】
当該方法を実行するための設備が、請求項７に記載の対象である。この場合、当該設備は、
−複数のオーディオデータファイルが格納されていて、複数のメタデータファイルがこれらのオーディオデータファイルに割り当てられている及び／又は割り当て可能である１つのメモリ媒体と、
−少なくとも１つのエフェクト装置と、
−当該エフェクト装置の複数の設定値を有する複数のデータファイルが格納されている１つの別のメモリ媒体と、
−当該メモリ媒体と当該エフェクト装置と当該別のメモリ媒体とに割り当てられている１つの制御モジュールとを有する。
【００１８】
特に、当該設備は、複数のオーディオ出力部及び／又は複数のオーディオ入力部を有する。当該設備は、複数のビデオ入力部及び／又は複数のビデオ出力部、並びに例えば光源のような外部装置を制御するためのその他の制御入力部及び制御出力部をさらに有する。
【００１９】
請求項７〜１０のいずれか１項に記載の設備内に実装されているコンピュータプログラムは、請求項１３に記載の対象である。この場合、当該コンピュータプログラムが、当該設備のプロセッサによって処理されるアルゴリズムを有する。この場合、このアルゴリズムは、請求項１〜６のいずれか１項に記載の方法を実行する。この場合、当該コンピュータプログラムは、メディアプレイヤーとして存在する。
【００２０】
以下に、本発明を図面に基づいて詳しく説明する。
【図面の簡単な説明】
【００２１】
【図１】複数のエフェクト装置をユニットとして有するブロック図である。
【図２】ブロック図で示された本発明の方法を示す。
【図３】本発明によるコンテナフォーマットの構成要素をブロック図で示す。
【図４】本発明による制御モジュール内の、ブロック図で追加して示されたフローチャートである。
【図５】複数のエフェクト装置から成る拡張されたユニットをブロック図で示す。
【図６】ブロック図で示された本発明の別の実施の形態を示す。
【図７】ブロック図で示された本発明の別の実施の形態を示す。
【図８】ブロック図で示された本発明の別の実施の形態を示す。
【図９】ブロック図で示された本発明の別の実施の形態を示す。
【図１０】ブロック図で示された本発明の別の実施の形態を示す。
【図１１】ブロック図で示された本発明の別の実施の形態を示す。
【図１２】本発明によるメディアプレイヤーの装置内のコンピュータプログラムの構成要素をブロック図で示す。
【発明を実施するための形態】
【００２２】
図１は、互いに結合されていて、オーディオ入力部８とオーディオ出力部９とを共有する複数のエフェクト装置１，２，３，４，５，６，７をブロック図で示す。これらのエフェクト装置は、図１に示されていないオーディオデータファイルのオーディオ信号を変更するために使用される。
【００２３】
これらのエフェクト装置１，２，３，４，５，６，７は、当該ユニットの全体を起動／停止するための「バイパス」、異なる周波数帯域を調整するための「イコライザ」、例えばフィルム内の声を際立たせるための「スピーチエンハンサー」、自由に調整可能な低周波数帯域及び高周波数帯域を上げる又は下げるための「バスブースト／トレブルブースト」、時間経過中の音量のレベルを自動的に適合するための「レベラー」、音響パターンを拡張するための「ステレオスプレッド」、及びオーバードライブが発生し得ないように、信号チェーンの最後のピークレベルを抑えるための「リミッタ」である。
【００２４】
図２は、図２に図示されていないオーディオデータファイル内に記憶されているメタデータが少なくとも１つのデータ回線１２，２３を通じてマイクロコントローラを有する制御モジュール１０に供給される本発明の方法を示す。さらに、図２に示されていないメモリ媒体内に記憶されているオーディオデータファイルのオーディオ信号が、通信回線１１を通じて図２に示された本発明の実施の形態ではイコライザとして存在するエフェクト装置２内に到達する。当該単独のエフェクト装置２の代わりに、図１に示されているように、複数のエフェクト装置から成る複合設備が使用されてもよい。当該エフェクト装置２によって処理されたオーディオ信号が、オーディオ出力部９に到達する。オーディオデータとメタデータとの双方、すなわち能動的に実際に再生されるオーディオイベントに付随する情報を有するデータが、制御モジュール１０内で処理される。当該オーディオイベントが、再生を開始すると、この制御モジュール１０は、制御回線１３を通じて所定の複数のメタデータをエフェクト装置２の所定の複数の設定値に割り当て、これらの設定値を有効にする。何故なら、制御モジュール１０によって処理されたメタデータが、当該オーディオデータファイルの最初に存在するか、又は図２に示されていない、実際に再生されるオーディオデータファイルにリンクされている外部のメタデータベースからダウンロードされるからである。メタデータは、オーディオデータファイル及びビデオデータファイルのようなメディアデータファイルに対してコンテンツが記述されているデータである。当該メタデータは、コンテンツ（例えば、作曲家、再生時間、ジャンル）を当該データファイルに記述するために、又は様々なデータファイルフォーマットをいわゆるコンテナフォーマットに統合するために使用される。
【００２５】
図３は、符号１４で付記されているコンテナフォーマットＡＶＩ（オーディオビデオインターリーブ）を示す。当該メタデータは、ここでは「ヘッドデータ」１５として、ビデオデータファイル１６とオーディオデータファイル１７との同期結合を記述する。需要者又はユーザが、上位の当該ＡＶＩデータファイルだけを起動する。当該ＡＶＩデータファイルは、そのコンテナ内に画像と音響とを一緒に保持する。これにより、画像と音響とを簡単に結合することが可能になる。
【００２６】
制御モジュール１０が、図４にも示されているように、複数のメタデータをエフェクト装置２の既定の複数の設定値に割り当てる。これらの設定値は、メタデータに固有の識別子を付与してメモリ媒体のデータファイル２１内に格納されていて且つ呼び出され得る。このため、制御モジュール１０が、少なくとも１つのデータ回線１２，２２を通じて制御モジュール１０内に到達する構築可能な複数の種類のメタデータから、複数のメタデータをエフェクト装置２用の複数の制御データに変換する。制御モジュール１０は、最初の機能段１８内で、当該読み込まれる複数のメタデータが文字と数字と記号とのどのような組み合わせから構成されているかを認識する。当該受け取られた複数のメタデータの当該認識後に、これらのメタデータは、データファイル２１内に存在する複数のデータセットと照合され、機能段１９内で割り当てられる。文字と数字と記号との複数の組み合わせが、データファイル２１内に格納されている。当該文字と数字と記号との複数の組み合わせは、エフェクト装置２の複数の前設定値に直接にリンクされている。１つのメタデータの文字と数字と記号との組み合わせが、データファイル２１内に存在するエフェクト装置２を制御するための１つのデータセットと一致すると、このエフェクト装置２が、制御モジュール１０の機能段２０によって起動され読み出される。この制御モジュール１０は、当該割り当てられたデータセットをロードするための命令をこのエフェクト装置２に送信する。このロード工程後に、このエフェクト装置２は、認識され起動された文字と数字と記号との特定の組み合わせに所属させて格納されたこのエフェクト装置２の複数の設定値を有効にし、これに応じて適合される。より多くのメタデータが、制御モジュール１０によって認識され、読み出され、起動され得るほど、具体的な音響イベントに関して個別に自動的に始動される音響の適合のレパートリーが増える。メタデータファイルのメタデータが認識されない場合、制御モジュール１０が、確定された１つの基準設定値を有効にする。その結果、制御が停止し得ない。
【００２７】
メディアデータファイル又はオーディオデータファイル内に存在するオーディオデータが、例えば、オーディオフォーマットＡＩＦＦ（音声データのファイルフォーマット）によるＬＰＣＭ（リニアパルスコード変調）のように、エフェクト装置２に直接に供給され、このエフェクト装置２で処理される。音響変調された音が、エフェクト装置２のオーディオ出力部に出力され、別の処理装置に供給される。
【００２８】
エフェクト装置２は、自由に構築可能な複数の種類の音響モジュールを有してもよい。これらの音響モジュールは、手動又は自動の前補正によって全て一緒に事前に構築可能である。このとき、事前に補正され、文字と数字と記号との複数の組み合わせに所属させて格納された当該設定値が、制御モジュール１０によって有効にされる。その結果、エフェクト装置２が、当該有効にされた前設定値をロードし、当該有効にされた前設定値に応じて音響を変調する。当該自動的に有効にできるパラメータに加えて、図５に示されているような結合されているエフェクト装置が、音響システムの全体を自動化可能な全ての音響モジュールにわたって適合するいわゆるマスター音響モジュールを含んでもよい。追加のイコライザ２ｂと強度２ａとから構成される当該マスターパラメータによって、当該音響システムの全体を、自動車内での聴取とは違うヘッドホンによる聴取のような特別なイベントに適合させることが可能になる。自動に補正可能なパラメータと手動で補正可能なパラメータとから成るこの組み合わせによって、本発明の方法が、容易に適合され、したがって最大限に柔軟に使用され得る。
【００２９】
図６〜１１による本発明の実施の形態から分かるように、本発明の範囲内では、制御モジュール１０が、確定されていない複数のオーディオデータソースに割り当てられている確定されていない複数のエフェクト装置２，２ａを確定されていない複数のメタデータソースに基づいて制御することも提唱されている（図６）。さらに、本発明の別の実施の形態では、確定されていない複数の制御モジュール１０，１０ａが、確定されていない複数のオーディオデータソースを用いて、すなわち確定されていない複数のメタデータソースに基づいてエフェクト装置２を制御する（図７）。本発明の別の実施の形態のように、確定されていない複数の制御モジュール１０，１０ａが、確定されていない複数のオーディオデータソースを用いて、確定されていない複数のメタデータソースに基づいてエフェクト装置２，２ａを制御する（図８）。この代わりに、この場合、制御モジュール１０のメタデータソース２４は、組み込まれたメタデータを有するメタデータファイルである。別のバリエーションとしては、当該制御モジュール１０のメタデータソースは、外部メディアのデータファイル、すなわちメディアデータファイル２５（オーディオデータファイル）から分離されたデータファイルである（図１０）。最後に、制御モジュール１０のメタデータソースは、外部データファイル３０及びオーディオデータファイル３１である。この場合、当該メタデータは、オーディオデータファイル３１から通信回線２６を通じて制御モジュール１０に供給される（図１１）。
【００３０】
図１２は、コンピュータプログラム２７を示す。プレイリスト２８内のオーディオデータファイル又はオーディオビデオデータファイルが起動されると、制御モジュール１０が、プレイリスト２８内で起動された当該メディアデータファイルのメタデータ及び／又は当該メタデータファイルに割り当てられた外部のメタデータベース２９のメタデータを認識する。当該認識後に、制御モジュール１０は、見つけ出したメタデータをデータファイル２１内に含まれているデータセットと照合する。この制御モジュール１０が、データファイル２１及び／又は外部のメタデータベース２９内に存在する制御データセットを、プレイリスト２８内で起動したメディアデータファイルに割り当てられ得る場合、この制御モジュール１０は、当該データファイル内に存在し、当該制御データファイル内に存在する制御データに応じて適合する制御命令をエフェクト装置に送信する。最後に、このエフェクト装置２のオーディオ出力９が、コンピュータプログラム２７として存在するメディアプレイヤーから外部へ出力される。その結果、当該オーディオ出力９は、増幅器／ラウドスピーカーに入力され得か又はさらに処理され得る。
【符号の説明】
【００３１】
１  エフェクト装置
２  エフェクト装置
２ａ  イコライザ
３  エフェクト装置
４  エフェクト装置
５  エフェクト装置
６  エフェクト装置
７  エフェクト装置
８  オーディオ入力（部）
９  オーディオ出力（部）
１０  制御モジュール
１０ａ  制御モジュール
１１  通信回線
１２  データ回線
１３  制御回線
１４  コンテナフォーマット
１５  ヘッドデータ
１６  ビデオデータ
１７  オーディオデータ
１８  機能段
１９  機能段
２０  機能段
２１  データファイル
２２  データ回線
２３  データ回線
２４  メタデータソース
２５  メタデータファイル
２６  通信回線
２７  コンピュータプログラム
２８  プレイリスト
２９  メタデータベース
３０  外部データファイル
３１  オーディオデータファイル
【図１】
2018518097.tif 000003
【図２】
2018518097.tif 000004
【図３】
2018518097.tif 000005
【図４】
2018518097.tif 000006
【図５】
2018518097.tif 000007
【図６】
2018518097.tif 000008
【図７】
2018518097.tif 000009
【図８】
2018518097.tif 000010
【図９】
2018518097.tif 000011
【図１０】
2018518097.tif 000012
【図１１】
2018518097.tif 000013
【図１２】
2018518097.tif 000014
【国際調査報告】
2018518097.tif 000015
2018518097.tif 000016
2018518097.tif 000017
2018518097.tif 000018
2018518097.tif 000019
2018518097.tif 000020